【手続補正書】
【提出日】平成17年7月26日(2005.7.26)
【手続補正１】
【補正対象書類名】特許請求の範囲
【補正対象項目名】全文
【補正方法】変更
【補正の内容】
【特許請求の範囲】
【請求項１】
下記式（Ｉ）のトリアジン系封鎖剤。
【化１】
2005507957.tif 000001
式中、Ｌ1はアリールオキシ基とトリアジン環との結合に対してオルト、メタ又はパラ位にある１以上の電子求引基を含むアリールオキシ基であり、Ｚ1及びＺ2は各々独立に、ポリマー又はモノマー上の求核基との反応に対して本質的に不活性の基、或いはＬ1基よりもポリマー又はモノマー上の求核基との反応速度が遅い基である。
【請求項２】
下記式（Ｉ）のトリアジン系封鎖剤。
【化２】
2005507957.tif 000002
式中、Ｌ1はクロロであり、Ｚ1は、アルキル、アリール、アルカリール、アラルキル、アルコキシ、アルキルアミノ、アリールアミノ、アリールオキシ、メチル、フェニル、メトキシ、エトキシ、イソプロポキシ、ｎ−ブトキシ、イソブトキシ、ｔ−ブトキシ、ベンジルオキシ、シクロヘキシルオキシ、メチルシクロヘキシルオキシ、ノニルオキシ、デシルオキシ、オクタデシルオキシ、オレイルオキシ、フェノキシ、置換アリールオキシ、アリールアリールオキシ、アリールフェノキシ、アルキルフェノキシ、２−アルキルフェノキシ、３−アルキルフェノキシ、４−アルキルフェノキシ、ｎ−ブチルフェノキシ、イソブチルフェノキシ、ｔ−ブチルフェノキシ、４−ｔ−ブチルフェノキシ、ｎ−ペンチルフェノキシ、４−ｔ−アミルフェノキシ、ｎ−ヘキシルフェノキシ、シクロヘキシルフェノキシ、フェニルフェノキシ、ナフチルフェノキシ、４−クミルフェノキシ、４−（１，１，３，３−テトラメチルブチル）フェノキシ、オクチルフェノキシ、４−ｔｅｒｔ−オクチルフェノキシ、ノニルフェノキシ、ドデシルフェノキシ、オクタデシルフェノキシ、ペンタデシルフェノキシ、ペンタデセニルフェノキシ、メトキシフェノキシ、フェノキシフェノキシ、ベンジルオキシフェノキシ、ｎ−ヘキシルオキシフェノキシ、２−メトキシエチルフェノキシ、４−（４’−オキシフェニル）−２，２，４−トリメチルクロマン、２−（４’−オキシフェニル）−２，４，４−トリメチルクロマン、１−（１−メチル−１−フェニルエチル）−４−（１−メチル−１−（４’−オキシフェニル）エチル）ベンゼン、１，３−ビス（１−メチル−１−フェニルエチル）−５−（１−メチル−１−（４’−オキシフェニル）エチル）ベンゼン、４−シアノフェノキシ、ジアルキルフェノキシ、２，６−ジアルキルフェノキシ、２，６−ジメチルフェノキシ、２，６−ジ−ｔ−ブチルフェノキシ、２，４−ジアルキルフェノキシ、２，４−ジ−ｔ−ブチルフェノキシ、２，５−ジアルキルフェノキシ、２，５−ジ−ｔ−ブチルフェノキシ、２，５−ジクミルフェノキシ、３，５−ジアルキルフェノキシ、３，５−ジ−ｔ−ブチルフェノキシ、３，５−ジクミルフェノキシ、２，３−ジアルキルフェノキシ、２，３−ジ−ｔ−ブチルフェノキシ、ジメトキシフェノキシ、ハロフェノキシ、４−ハロフェノキシ、４−ブロモフェノキシ、ジハロフェノキシ、ジブロモフェノキシ、２，６−ジハロフェノキシ、２，６−ジブロモフェノキシ、２，６−ジクロロフェノキシ、２，６−（ジアルコキシカルボニル）フェノキシ、２，６−（ジメトキシカルボニル）フェノキシ、トリアルキルフェノキシ、２，３，６−トリアルキルフェノキシ、２，３，６−トリメチルフェノキシ、２，４，６−トリアルキルフェノキシ、２，４，６−トリメチルフェノキシ、トリハロフェノキシ、トリブロモフェノキシ、２，４，６−トリハロフェノキシ、２，４，６−トリブロモフェノキシ及び２，４，６−トリクロロフェノキシからなる群から選択され、Ｚ2は、ビニル、アリル、アリルオキシ、２−アリルフェノキシ、４−アリルフェノキシ、４−エテニルフェノキシ、シンナミルオキシ、４−アリル−２−メトキシフェノキシ及びプロパルギルオキシからなる群から選択される。
【請求項３】
下記式（Ｉ）のトリアジン系封鎖剤。
【化３】
2005507957.tif 000003
式中、Ｌ1はクロロであり、Ｚ1及びＺ2は同一であって、ビニル、アリル、アリルオキシ、２−アリルフェノキシ、４−アリルフェノキシ、４−エテニルフェノキシ、シンナミルオキシ、４−アリル−２−メトキシフェノキシ及びプロパルギルオキシからなる群から選択される。
【請求項４】
下記式（II）のトリアジン系封鎖剤。
【化４】
2005507957.tif 000004
式中、Ｌ1及びＬ2は各々独立に、アリールオキシ基とトリアジン環との結合に対してオルト、メタ又はパラ位にある１以上の電子求引基を含むアリールオキシ基であり、Ｚ1は、ポリマー又はモノマー上の求核基との反応に対して本質的に不活性の基、或いはＬ1及びＬ2基のどちらよりも遅い速度でポリマー又はモノマー上の求核基と反応する基である。
【請求項５】
下記式（II）のトリアジン系封鎖剤。
【化５】
2005507957.tif 000005
式中、Ｌ1及びＬ2は各々クロロであり、Ｚ1は、ビニル、アリル、アリルオキシ、２−アリルフェノキシ、４−アリルフェノキシ、４−エテニルフェノキシ、シンナミルオキシ、４−アリル−２−メトキシフェノキシ及びプロパルギルオキシからなる群から選択される。
【請求項６】
下記式（III）のトリアジン系封鎖剤。
【化６】
2005507957.tif 000006
式中、Ｌ1、Ｌ2及びＬ3は各々独立に、アリールオキシ基とトリアジン環との結合に対してオルト、メタ又はパラ位にある１以上の電子求引基を含むアリールオキシ基である。
【請求項７】
１以上のビニル基、アリル基又はプロパルギル基、或いは下記式（VII、Ｆｕ1）のオレフィン基を含むトリアジン部分で封鎖された求核基を有するポリマー。
【化７】
2005507957.tif 000007
式中、Ｒ1はアルキル又はアリールであり、Ｒ2は水素、アルキル又はアリールである。
【請求項８】
ポリマー又はモノマー中の求核基を封鎖する方法であって、ポリマー又はモノマーを請求項１記載のトリアジン系封鎖剤と混合して反応させることを含んでなる方法。
【請求項９】
ポリカーボネート中の末端ヒドロキシ基を封鎖する方法であって、ポリマーを下記式（Ｉ）のトリアジン系封鎖剤と混合して反応させることを含んでなる方法。
【化８】
2005507957.tif 000008
式中、Ｌ1がｏ−カルボメトキシフェノキシであり、Ｚ1及びＺ2が各々独立に、アルキル、アリール、アルカリール、アラルキル、アルコキシ、アルキルアミノ、アリールアミノ、アリールオキシ、メチル、フェニル、メトキシ、エトキシ、イソプロポキシ、ｎ−ブトキシ、イソブトキシ、ｔ−ブトキシ、ベンジルオキシ、シクロヘキシルオキシ、メチルシクロヘキシルオキシ、ノニルオキシ、デシルオキシ、オクタデシルオキシ、オレイルオキシ、フェノキシ、置換アリールオキシ、アリールアリールオキシ、アリールフェノキシ、アルキルフェノキシ、２−アルキルフェノキシ、３−アルキルフェノキシ、４−アルキルフェノキシ、ｎ−ブチルフェノキシ、イソブチルフェノキシ、ｔ−ブチルフェノキシ、４−ｔ−ブチルフェノキシ、ｎ−ペンチルフェノキシ、４−ｔ−アミルフェノキシ、ｎ−ヘキシルフェノキシ、シクロヘキシルフェノキシ、フェニルフェノキシ、ナフチルフェノキシ、４−クミルフェノキシ、４−（１，１，３，３−テトラメチルブチル）フェノキシ、オクチルフェノキシ、４−ｔｅｒｔ−オクチルフェノキシ、ノニルフェノキシ、ドデシルフェノキシ、オクタデシルフェノキシ、ペンタデシルフェノキシ、ペンタデセニルフェノキシ、メトキシフェノキシ、フェノキシフェノキシ、ベンジルオキシフェノキシ、ｎ−ヘキシルオキシフェノキシ、２−メトキシエチルフェノキシ、４−（４’−オキシフェニル）−２，２，４−トリメチルクロマン、２−（４’−オキシフェニル）−２，４，４−トリメチルクロマン、１−（１−メチル−１−フェニルエチル）−４−（１−メチル−１−（４’−オキシフェニル）エチル）ベンゼン、１，３−ビス（１−メチル−１−フェニルエチル）−５−（１−メチル−１−（４’−オキシフェニル）エチル）ベンゼン、４−シアノフェノキシ、ジアルキルフェノキシ、２，６−ジアルキルフェノキシ、２，６−ジメチルフェノキシ、２，６−ジ−ｔ−ブチルフェノキシ、２，４−ジアルキルフェノキシ、２，４−ジ−ｔ−ブチルフェノキシ、２，５−ジアルキルフェノキシ、２，５−ジ−ｔ−ブチルフェノキシ、２，５−ジクミルフェノキシ、３，５−ジアルキルフェノキシ、３，５−ジ−ｔ−ブチルフェノキシ、３，５−ジクミルフェノキシ、２，３−ジアルキルフェノキシ、２，３−ジ−ｔ−ブチルフェノキシ、ジメトキシフェノキシ、ハロフェノキシ、４−ハロフェノキシ、４−ブロモフェノキシ、ジハロフェノキシ、ジブロモフェノキシ、２，６−ジハロフェノキシ、２，６−ジブロモフェノキシ、２，６−ジクロロフェノキシ、２，６−（ジアルコキシカルボニル）フェノキシ、２，６−（ジメトキシカルボニル）フェノキシ、トリアルキルフェノキシ、２，３，６−トリアルキルフェノキシ、２，３，６−トリメチルフェノキシ、２，４，６−トリアルキルフェノキシ、２，４，６−トリメチルフェノキシ、トリハロフェノキシ、トリブロモフェノキシ、２，４，６−トリハロフェノキシ、２，４，６−トリブロモフェノキシ、２，４，６−トリクロロフェノキシ、ビニル、アリル、アリルオキシ、２−アリルフェノキシ、４−アリルフェノキシ、４−エテニルフェノキシ、シンナミルオキシ、４−アリル−２−メトキシフェノキシ、プロパルギルオキシ、グリシドキシ及び４−オキシメチル−２−メトキシ−２−メチル−１，３−ジオキソランからなる群から選択される。
【請求項１０】
ポリカーボネート中の末端ヒドロキシ基を封鎖する方法であって、ポリマーを下記式（II）のトリアジン系封鎖剤と混合して反応させることを含んでなる方法。
【化９】
2005507957.tif 000009
式中、Ｌ1及びＬ2が各々ｏ−カルボメトキシフェノキシであり、Ｚ1が、アルキル、アリール、アルカリール、アラルキル、アルコキシ、アルキルアミノ、アリールアミノ、アリールオキシ、メチル、フェニル、メトキシ、エトキシ、イソプロポキシ、ｎ−ブトキシ、イソブトキシ、ｔ−ブトキシ、ベンジルオキシ、シクロヘキシルオキシ、メチルシクロヘキシルオキシ、ノニルオキシ、デシルオキシ、オクタデシルオキシ、オレイルオキシ、フェノキシ、置換アリールオキシ、アリールアリールオキシ、アリールフェノキシ、アルキルフェノキシ、２−アルキルフェノキシ、３−アルキルフェノキシ、４−アルキルフェノキシ、ｎ−ブチルフェノキシ、イソブチルフェノキシ、ｔ−ブチルフェノキシ、４−ｔ−ブチルフェノキシ、ｎ−ペンチルフェノキシ、４−ｔ−アミルフェノキシ、ｎ−ヘキシルフェノキシ、シクロヘキシルフェノキシ、フェニルフェノキシ、ナフチルフェノキシ、４−クミルフェノキシ、４−（１，１，３，３−テトラメチルブチル）フェノキシ、オクチルフェノキシ、４−ｔｅｒｔ−オクチルフェノキシ、ノニルフェノキシ、ドデシルフェノキシ、オクタデシルフェノキシ、ペンタデシルフェノキシ、ペンタデセニルフェノキシ、メトキシフェノキシ、フェノキシフェノキシ、ベンジルオキシフェノキシ、ｎ−ヘキシルオキシフェノキシ、２−メトキシエチルフェノキシ、４−（４’−オキシフェニル）−２，２，４−トリメチルクロマン、２−（４’−オキシフェニル）−２，４，４−トリメチルクロマン、１−（１−メチル−１−フェニルエチル）−４−（１−メチル−１−（４’−オキシフェニル）エチル）ベンゼン、１，３−ビス（１−メチル−１−フェニルエチル）−５−（１−メチル−１−（４’−オキシフェニル）エチル）ベンゼン、４−シアノフェノキシ、ジアルキルフェノキシ、２，６−ジアルキルフェノキシ、２，６−ジメチルフェノキシ、２，６−ジ−ｔ−ブチルフェノキシ、２，４−ジアルキルフェノキシ、２，４−ジ−ｔ−ブチルフェノキシ、２，５−ジアルキルフェノキシ、２，５−ジ−ｔ−ブチルフェノキシ、２，５−ジクミルフェノキシ、３，５−ジアルキルフェノキシ、３，５−ジ−ｔ−ブチルフェノキシ、３，５−ジクミルフェノキシ、２，３−ジアルキルフェノキシ、２，３−ジ−ｔ−ブチルフェノキシ、ジメトキシフェノキシ、ハロフェノキシ、４−ハロフェノキシ、４−ブロモフェノキシ、ジハロフェノキシ、ジブロモフェノキシ、２，６−ジハロフェノキシ、２，６−ジブロモフェノキシ、２，６−ジクロロフェノキシ、２，６−（ジアルコキシカルボニル）フェノキシ、２，６−（ジメトキシカルボニル）フェノキシ、トリアルキルフェノキシ、２，３，６−トリアルキルフェノキシ、２，３，６−トリメチルフェノキシ、２，４，６−トリアルキルフェノキシ、２，４，６−トリメチルフェノキシ、トリハロフェノキシ、トリブロモフェノキシ、２，４，６−トリハロフェノキシ、２，４，６−トリブロモフェノキシ、２，４，６−トリクロロフェノキシ、ビニル、アリル、アリルオキシ、２−アリルフェノキシ、４−アリルフェノキシ、４−エテニルフェノキシ、シンナミルオキシ、４−アリル−２−メトキシフェノキシ、プロパルギルオキシ、グリシドキシ及び４−オキシメチル−２−メトキシ−２−メチル−１，３−ジオキソランからなる群から選択される。
【請求項１１】
ポリカーボネート中の末端ヒドロキシ基を封鎖する方法であって、ポリマーを下記式（III）のトリアジン系封鎖剤と混合して反応させることを含んでなる方法。
【化１０】
2005507957.tif 000010
式中、Ｌ1、Ｌ2及びＬ3が各々ｏ−カルボメトキシフェノキシである。
【請求項１２】
１以上のｏ−カルボメトキシフェノキシ置換基を有する１種以上のトリアジン系封鎖剤の存在下での溶融エステル交換反応を含んでなる、ポリカーボネートの製造方法。